(57)【要約】【課題】煩雑な処理がなく、１種類の階調パッチパターンから複数の階調特性を１度で作成し、複数の階調特性の補正を行うことができる画像処理装置、および画像処理方法を提供する。【解決手段】ユーザ等がテストパターン印刷を指示すると、制御部１０は階調パッチパターンＸを印刷する。次に、ユーザ等は、印刷した階調パッチパターンＸを、同じ画像形成装置１の読取部１１に載置し読み取らせる。第１の階調補正テーブル作成部２２１は、読取部１１が読み取った階調パッチパターンＸより、第１の階調補正テーブル２２２Ａを作成し階調補正テーブル記憶部２２２に格納する。次に、第２の階調補正テーブル作成部２２３は、第１の階調補正テーブル２２２Ａと、差分データ記憶部２２５にあらかじめ保存している差分データから、他の画質に対応する階調補正テーブル（２２２Ｂ、２２２Ｃ…）を作成し階調補正テーブル記憶部２２２に格納する。【選択図】  図２
2009232455.tif 000002
【特許請求の範囲】
【請求項１】
複数の画質を設定する機能を有し、設定された前記画質に応じて複数の階調特性を選択する画像形成装置において、
前記複数の画質の中から基準画質を選択し、前記基準画質に対応する階調パッチパターンを印刷する画像記録部と、
前記画像記録部で印刷した前記階調パッチパターンを読み取る読取部と、
前記読取部で読み取った前記階調パッチパターンの濃度から前記基準画質の階調特性を補正するための第１の階調補正テーブルを作成する第１の階調補正テーブル作成部と、
前記基準画質の階調特性と前記基準画質以外の他の画質の階調特性との差分データを用いて前記第１の階調補正テーブルを修正し、前記他の画質の階調特性を補正するための第２の階調補正テーブルを作成する第２の階調補正テーブル作成部と、
前記基準画質の設定時には前記第１の階調補正テーブルを用いて画像の階調特性を補正し、前記他の画質の設定時には前記第２の階調補正テーブルを用いて画像の階調特性を補正する階調処理部と、
を有することを特徴とする画像形成装置。
【請求項２】
予め求めた前記差分データを記憶する差分データ記憶部、をさらに備え、
前記第２の階調補正テーブル作成部は、前記差分データを読み出して第２の階調特性の作成に用いる、ことを特徴とする請求項１記載の画像形成装置。
【請求項３】
前記画像記録部は、キャリブレーションモードに設定されたときに前記階調パッチパターンを印刷し、
前記第１、及び第２の階調補正テーブル作成部は、キャリブレーションモードに設定されたときに、前記第１、及び前記第２の階調補正テーブルを作成する、
ことを特徴とする請求項１記載の画像形成装置。
【請求項４】
前記基準画質は、写真用の基準画質と文字用の基準画質の２種類であり、
前記画像記録部は、前記２種類の基準画質に対応する２種類の階調パッチパターンを１枚の用紙に印刷し、
前記第１の階調補正テーブル作成部は、前記読取部で読取った前記２種類の階調パッチパターンの濃度から、前記２種類の基準画質の階調特性を補正するための第１の階調補正テーブルを夫々作成し、
前記第２の階調特性作成部は、前記２種類の基準画質の階調特性と前記２種類の基準画質以外の他の画質の階調特性との差分データを用いて前記第１の階調補正テーブルを夫々修正し、前記他の画質の階調特性を補正するための第２の階調補正テーブルを夫々作成する、
ことを特徴とする請求項１記載の画像形成装置。
【請求項５】
前記画像記録部は印刷した前記階調パッチパターンの濃度を読取るセンサをさらに有し、
前記第１の階調補正データ作成部は、前記センサで読取った前記階調パッチパターンの濃度から、前記基準画質の階調特性を補正するための第１の階調補正テーブルを作成する、
ことを特徴とする請求項１記載の画像形成装置。
【請求項６】
複数の画質を設定する機能を有し、設定された前記画質に応じて複数の階調特性を選択する画像処理方法において、
前記複数の画質の中から基準画質を選択し、前記基準画質に対応する階調パッチパターンを印刷し、
前記画像記録部で印刷した前記階調パッチパターンを読み取り、
前記読取部で読み取った前記階調パッチパターンの濃度から前記基準画質の階調特性を補正するための第１の階調補正テーブルを作成し、
前記基準画質の階調特性と前記基準画質以外の他の画質の階調特性との差分データを用いて前記第１の階調補正テーブルを修正し、前記他の画質の階調特性を補正するための第２の階調補正テーブルを作成し、
前記基準画質の設定時には前記第１の階調補正テーブルを用いて画像の階調特性を補正し、前記他の画質の設定時には前記第２の階調補正テーブルを用いて画像の階調特性を補正する、
ことを特徴とする画像処理方法。
【発明の詳細な説明】
【技術分野】
【０００１】
本発明は、階調特性を推定する画像形成装置、およびその画像処理方法に関する。
【背景技術】
【０００２】
デジタルカラー複合機やカラープリンタ等に組み込まれている画像形成装置において、文字のみの原稿に適した出力（文字モード）、写真のみの原稿に適した出力（写真モード）、あるいは文字と写真が混ざった原稿に適した出力（文字／写真モード、地図モード）等、原稿の種類に適した出力設定である画質モードをユーザが設定することができるものがある。この各種画質モードを設定するには、対応する階調特性（階調補正テーブル）の設定を行う。
【０００３】
階調特性の設定を行う例として、階調パッチパターン（ハーフトーンスクリーン）を用いる方法がある。階調パッチパターンは、所定の枠内に縦線やドットを複数印字したパターンを、低い濃度から高い濃度まで濃度が変化するように（縦線の太さや間隔、或いはドットの大きさや間隔を変化させて）、所定の濃度間隔でパターンを並べ、１枚の用紙に表示したものである。図１０に階調パッチパターンの一例を示す。図１０では、シアン（Ｃ）、マゼンタ（Ｍ）、イエロー（Ｙ）、ブラック（Ｋ）の色別に、濃度階調が０〜２５５の間で８階調毎にパターンを並べている。階調パッチパターンは、用紙１枚に文字用と写真用等、画像種類の異なる複数の階調パッチパターンを印刷することができるが、１枚の用紙に一度に印刷する階調パターンの数には限度がある。例えば、文字の階調特性を設定するための文字用階調パッチパターンと、写真の階調特性を設定するための写真用階調パッチパターンの２種類を１枚の用紙に印刷する程度が限度である。
【０００４】
複数の画質モード（例えば、標準画質モード、高画質モード、高速印刷画質モード等）が存在する場合、対応する画質モード毎に階調特性を作成する。具体的には、メモリに格納されている、ある画質モードの階調パッチパターンを用紙に印刷し、スキャナーで読み込ませる。読み込んだ階調パッチパターンの濃度に基づいて階調特性を（階調補正テーブル）を作成する。他の複数の画質モードに対応する階調特性を（階調補正テーブル）を作成するためには同じ手順を複数回繰り返すことになる。また、画質モード毎に種類の異なる階調パッチパターンが複数必要となる。
【０００５】
特許文献１においては、複数の画像形成モードに対応する各入出力特性値を備え、階調パターンが形成されている基準原稿を読取り、あらかじめ設定された目標値と、読み取った画像データとから、第１の画像形成モードに対応した第１の入出力特性値を設定し、各入出力特性値の相違に対応した固定値により、上記画像データから疑似画像データを生成して、その疑似画像データと上記目標値とから第２の画像形成モードに対応した第２の入出力特性値を設定するという技術が開示されている。
【先行技術文献】
【特許文献】
【０００６】
【特許文献１】特許第３７３４６７５号公報
【発明の概要】
【発明が解決しようとする課題】
【０００７】
階調パッチパターンの種類が増加するとハードウェアの回路規模は一般的に大きくなるため、階調パッチパターンの種類（枚数）はできるだけ少ない方がよい。しかし、１枚の用紙には、例えば最大２種類のテストパターン（文字と写真等）しか印刷できず、文字や写真の印刷を他の様々な画質モードの印刷に対応させようとすると、前述したように画質モードに合わせて階調特性（階調補正テーブル）も複数必要となり、階調パッチパターンの種類も多くなってしまう。そのため、複数の階調特性を設定するのに時間がかかり、煩雑である。
【０００８】
本発明はこのような点を考慮してなされたもので、煩雑な処理がなく、１種類の階調パッチパターンから複数の階調補正テーブルを１度で作成し、複数の階調特性の補正を行うことができる画像形成装置、およびその画像処理方法を提供することを目的とする。
【課題を解決するための手段】
【０００９】
本発明に係る画像形成装置は、複数の画質を設定する機能を有し、設定された前記画質に応じて複数の階調特性を選択する画像形成装置において、前記複数の画質の中から基準画質を選択し、前記基準画質に対応する階調パッチパターンを印刷する画像記録部と、前記画像記録部で印刷した前記階調パッチパターンを読み取る読取部と、前記読取部で読み取った前記階調パッチパターンの濃度から前記基準画質の階調特性を補正するための第１の階調補正テーブルを作成する第１の階調補正テーブル作成部と、前記基準画質の階調特性と前記基準画質以外の他の画質の階調特性との差分データを用いて前記第１の階調補正テーブルを修正し、前記他の画質の階調特性を補正するための第２の階調補正テーブルを作成する第２の階調補正テーブル作成部と、前記基準画質の設定時には前記第１の階調補正テーブルを用いて画像の階調特性を補正し、前記他の画質の設定時には前記第２の階調補正テーブルを用いて画像の階調特性を補正する階調処理部とを有することを特徴とする。
【００１０】
本発明に係る画像処理方法は、複数の画質を設定する機能を有し、設定された前記画質に応じて複数の階調特性を選択する画像処理方法において、前記複数の画質の中から基準画質を選択し、前記基準画質に対応する階調パッチパターンを印刷し、前記画像記録部で印刷した前記階調パッチパターンを読み取り、前記読取部で読み取った前記階調パッチパターンの濃度から前記基準画質の階調特性を補正するための第１の階調補正テーブルを作成し、前記基準画質の階調特性と前記基準画質以外の他の画質の階調特性との差分データを用いて前記第１の階調補正テーブルを修正し、前記他の画質の階調特性を補正するための第２の階調補正テーブルを作成し、前記基準画質の設定時には前記第１の階調補正テーブルを用いて画像の階調特性を補正し、前記他の画質の設定時には前記第２の階調補正テーブルを用いて画像の階調特性を補正することを特徴とする。
【発明の効果】
【００１１】
本発明に係る画像形成装置によれば、煩雑な処理がなく、１種類の階調パッチパターンから複数の階調特性を１度で作成し、複数の階調特性の補正を行うことができる画像処理装置、および画像処理方法を提供することを目的とする。
【図面の簡単な説明】
【００１２】
【図１】本発明の一実施形態に係る画像形成装置の概略構成を示すブロック図。
【図２】同上の実施形態に係るプリンタ系画像処理部の詳細構成を示すブロック図。
【図３】同上の実施形態に係るプリンタ系画像処理部のキャリブレーションモード時（第１手順）の詳細構成を示すブロック図。
【図４】同上の実施形態に係るプリンタ系画像処理部のキャリブレーションモード時（第２手順）詳細構成を示すブロック図。
【図５】同上の実施形態に係る画像形成装置の、キャリブレーションモード時の動作を示すフローチャート。
【図６】同上の実施形態に係るプリンタ系画像処理部の通常印刷時の詳細構成を示すブロック図。
【図７】同上の実施形態に係る画像形成装置の、通常印刷時の動作を示すフローチャート。
【図８】同上の実施形態に係るγ補正の概念図。
【図９】同上の実施形態に係るγ補正の階調補正テーブルを示す図。
【図１０】同上の実施形態に係る階調パッチパターンの一例を示す図。
【図１１】（Ａ）は写真用階調特性ａと写真用階調特性ｂとを重ねて差分値を求める図、（Ｂ）は写真用階調特性ａに対する写真用階調特性ｂの差分値のグラフ。
【発明を実施するための形態】
【００１３】
以下、本発明の実施形態を添付図面に基づいて説明する。
【００１４】
図１は、本発明の一実施形態である画像形成装置１、例えば、デジタルＭＦＰ（Digital Multi-Function Peripheral）のシステム構成例を示す図である。この画像形成装置１は、デジタルカラー複合機として機能するもので、例えば、コピー機能、プリンタ機能、スキャナー機能、ＦＡＸ機能、ストレージ機能等が実現される。
【００１５】
画像形成装置１は、読取部１１、スキャナー系画像処理部２１、プリンタ系画像処理部２２、ページメモリ部１３、画像記録部１４を備え、これらの構成によってコピー機能を実現している。
【００１６】
読取部１１は、原稿を３ラインＣＣＤセンサで光学的に読み取り、赤（Ｒ）、緑（Ｇ）、青（Ｂ）のカラーデジタル画像信号に変換する。
【００１７】
スキャナー系画像処理部２１は、主走査方向の信号レベルの不均一性を補正するシェーディング補正や、空間フィルタリング処理等の各種画像処理を行う。また、コピー機能として動作する場合には、Ｒ，Ｇ，Ｂの三原色から例えばシアン（Ｃ）、マゼンタ（Ｍ）、イエロー（Ｙ）、ブラック（Ｋ）の色信号に変換してページメモリ部１３へ出力する一方、スキャナー機能として動作する場合には、Ｒ，Ｇ，Ｂの３原色としてページメモリ部１３へ出力する。
【００１８】
ページメモリ部１３は、スキャナー系画像処理部２１で出力した画像信号について、例えばページ単位で一時的に記憶し、再度プリンタ系画像処理部２２へ出力する。
【００１９】
プリンタ系画像処理部２２は、ページメモリ部１３から出力される画像信号に対して、階調補正を行い、印刷のための画像処理を行い、画像記録部１４に出力する。詳細については後述する。
【００２０】
画像記録部１４は、例えば電子写真方式で記録紙に画像を印刷する構成品であり、露光装置、感光ドラム、現像装置等（いずれも図示せず）等を備えて構成されるものである。
【００２１】
また画像形成装置１は、ストレージ部１５、プリンタコントローラ部１６、ＦＡＸコントローラ部１７、電子データ作成部１８、外部Ｉ／Ｆ部１９、を備えている。これらの構成品は、画像形成装置１をストレージ機能、プリンタ機能、ＦＡＸ機能、スキャナー機能等として動作させる場合に用いられるものである。
【００２２】
ストレージ部１５は、例えばＨＤＤ（Hard Disk Drive）で構成されるものであり、読取部１１で読み取った画像信号や外部のパーソナルコンピュータ等から入力した画像信号を記憶する。ストレージ部１５に記憶された画像信号は必要に応じて読み出され、画像記録部１４で印刷し、或いは、スキャンデータとして外部に出力することができる。
【００２３】
電子データ作成部１８は、画像形成装置１をスキャナー機能として動作させる際に、画像信号を所定のデータフォーマットに変換しスキャンデータを生成する。生成されたスキャンデータは、外部Ｉ／Ｆ部１９を介して外部に出力される。
【００２４】
ＦＡＸコントローラ部１７は、画像形成装置１をＦＡＸ機能として動作させるものである。読取部１１で読み取られた画像信号をＦＡＸ用のデータフォーマットに変換し、外部Ｉ／Ｆ部１９を介して外部の電話回線に出力する。また、電話回線から入力されるＦＡＸデータを画像信号に変換して、画像記録部１４で印刷を行うことができる。
【００２５】
プリンタコントローラ部１６は、画像形成装置１をプリンタ機能として動作させる際にプリント機能に必要となる各種制御や各種処理を行う。制御部１０は、画像形成装置１の全体に係る制御を行っている。
【００２６】
次に、プリンタ系画像処理部２２の詳細構成について、図２を参照して説明する。
【００２７】
第１の階調補正テーブル作成部２２１は基準画質に対応した、画像信号の階調特性を補正するための第１の階調補正テーブル２２２Ａを作成し、第２の階調補正テーブル作成部２２３は基準画質以外の他の画質に対応した、画像信号の階調特性を補正するための第２の階調補正テーブル（２２２Ｂ、２２２Ｃ…）を作成し、階調補正テーブル記憶部２２２に格納する。
【００２８】
階調補正処理部２２６は、画像の階調特性を、階調補正テーブル記憶部２２２に格納されている各画質の階調補正テーブルを用いて補正する。基準画質の設定時では第１の階調補正テーブル２２２Ａを用いて階調特性を補正し、他の画質の設定時では、他の画質に対応した階調補正テーブル（２２２Ｂ、２２２Ｃ…）を用いて階調特性を補正する。
【００２９】
ここで、階調特性の補正について説明する。図８は、階調特性補正の概念図である。設定階調値（入力画像信号の階調値）と印刷した画像の階調値（濃度）が１対１の線形関係であれば、画像信号の階調を補正する必要が無いが、実際は図８の破線で示すように非線形である。そのため、図８の直線に示すような、設定階調値に対する印刷画像の階調（濃度）が１対１になる、あるいは近づけるよう補正する。例えば、図９に示す階調補正テーブルを用いて設定階調値を補正する。
【００３０】
図９の下方の太線で示す曲線が階調補正テーブルを示す図である。階調補正テーブルの特性の形状は、設定階調値と印刷された画像信号の濃度（補正前）の関係を示す特性と線対称である。このような形状の階調補正テーブルを用いることにより、設定階調値と印刷濃度との関係が線形になるように補正することができる。
【００３１】
ハーフトーン処理部２２７は、階調補正処理部２２６で補正された階調特性に対応するハーフトーンスクリーン（パターン）２４０を選択し、画像の処理を行う。階調補正処理部２２６とハーフトーン処理部２２７を合わせて、階調処理部２２０とする。
【００３２】
差分データ記憶部２２５は、階調補正処理部２２６で作成した基準画質の階調特性と基準画質以外の他の画質の複数の階調特性との差分データを、階調特性毎に保存している。
【００３３】
図１１（Ａ）は、差分データの例として、２つの写真用階調特性ａ、ｂを重ね合わせて差分を求める図であり、横軸が設定階調値、縦軸が検出濃度を示している。階調特性は一般的に、解像度が高いほど階調特性の傾きが大きくなる。図１１（Ａ）の例では、写真用階調特性ａの方が高い解像度を持っており、写真用階調特性ａの傾きの方が写真用階調特性ｂの傾きよりも大きくなっている。図１１（Ｂ）に写真用階調特性ａに対する写真用階調特性ｂの差分値のグラフを示す。この図では、傾き１の直線を基準として、基準の直線に対するｂの差分値を表している。差分データは、開発・設計段階、或いは製造段階で予め取得しておき、この差分データを製品出荷前に差分データ記憶部２２５に保存しておく。
【００３４】
テストパターン２３０は、あらかじめプリンタ系画像処理部２２に保存している、濃度毎の画素レベル値（数値）を示したものである。
【００３５】
＜キャリブレーションモード時＞
次に、上記構成における画像形成装置１の、キャリブレーションモード時について、図３、図４を参照して説明する。  図３の第１手順において、ユーザ又はサービスマン（以下、ユーザ等という）が画像形成装置１の操作部（図示せず）で「テストパターン印刷」を指示する。制御部１０は、プリンタ系画像処理部２２内のテストパターン２３０を読み出し、ハーフトーン処理部２２７で該当するハーフトーンスクリーン２４０Ａを適用し、画像記録部１４で階調パッチパターンＸを用紙に印刷する。なお、本実施形態では、用紙１枚につき２種類の異なる解像度の階調パッチパターン（文字用と写真用）が印刷されるものとする。
【００３６】
次に図４の第２手順において、ユーザ等は、印刷した階調パッチパターンＸを、同じ画像形成装置１の読取部１１に載置する。読取部１１はこの階調パッチパターンＸを読み取る。読み取った階調パッチパターンＸは、スキャナー系画像処理部２１、ページメモリ部１３で、前述した所定の画像処理を行い、プリンタ系画像処理部２２の第１の階調補正テーブル作成部２２１へ入力する。
【００３７】
次に第１の階調補正テーブル作成部２２１は、読取部１１で読取った階調パッチパターンＸの濃度に基づいて階調特性を補正するための第１の階調補正テーブル２２２Ａを作成し、階調補正テーブル記憶部２２２に格納する。ここで、階調パッチパターンＸには文字用と写真用とした２種類の異なる解像度のパターンが印刷されているので、例えば、解像度が高い方を文字用パッチパターン、解像度が低い方を写真用パッチパターンとし、写真用階調補正テーブルと文字用階調補正テーブルの２種類をそれぞれ作成することができる。この、第１の階調補正テーブル２２２Ａを用いた出力印刷設定を、画質モードＡとする。
【００３８】
次に、第２の階調補正テーブル作成部２２３は、第１の階調補正テーブル２２２Ａと、差分データ記憶部２２５にあらかじめ保存している、基準画質の階調特性（画質モードＡの階調特性）と基準画質以外の他の画質（画質モード）の階調特性との差分データとを合成して、第２の階調補正テーブル２２２Ｂを作成して階調補正テーブル記憶部２２２に格納する。第２の階調補正テーブル２２２Ｂも、第１の階調補正テーブル２２２Ａから作成されるため、写真用と文字用とで２種類のテーブルが作成される。第２の階調補正テーブル２２２Ｂを用いた出力印刷設定を、画質モードＢとする。
【００３９】
差分データ記憶部２２５は、画質モードＢにおける階調特性との差分データだけではなく、他の画質における差分データもあらかじめ保存しているので、第２の階調補正テーブル作成部２２３は、第１の階調補正テーブル２２２Ａと、各画質における差分データとをそれぞれ合成して、画質毎の階調補正テーブル（例えば２２２Ｃ、２２２Ｄ…）を作成し階調補正テーブル記憶部２２２に格納する。そして、出力印刷設定も、画質毎の階調補正テーブルに応じて、それぞれ例えば画質モードＣ、画質モードＤ…とする。
【００４０】
キャリブレーションモード時の動作のフローチャートを図５に示す。ユーザ等からのテストパターン印刷の指示で、制御部１０は階調パッチパターンＸを印刷する（ステップＳ１０１）。次に、ユーザ等が、ステップＳ１０１で印刷された階調パッチパターンＸを読取部１１に載置し読み取らせる（ステップＳ１０３）。第１の階調補正テーブル作成部２２１は、ステップＳ１０３で読取部１１が読み取った階調パッチパターンＸより、第１の階調補正テーブル２２２Ａを作成し階調補正テーブル記憶部２２２に格納する（ステップＳ１０５）。次に、第２の階調補正テーブル作成部２２３は、ステップＳ１０５で作成した第１の階調補正テーブル２２２Ａと、差分データ記憶部２２５にあらかじめ保存している差分データから、他の画質に対応する階調補正テーブル（２２２Ｂ、２２２Ｃ…）を作成し階調補正テーブル記憶部２２２に格納する（ステップＳ１０７）。
【００４１】
なお、本実施形態における階調補正テーブルは写真用と文字用の２種類作成されるが、文字の場合、中間調の再現がさほど重視されていないので、各階調特性の違いが写真ほど大きくなく、算出される差分値も小さい。よって、文字用の階調補正テーブルは、階調パッチパターンＸから作成された階調補正テーブル２２２Ａを、他の画質モードでもそのまま使用してもよい。
【００４２】
＜通常印刷時＞
次に、画像処理装置１のキャリブレーション終了後、通常印刷時について、図６を参照にして説明する。
【００４３】
ユーザ等が画像処理装置１の操作部（図示せず）を用いて、出力印刷における画質モードを例えば画質モードＡに設定し、ある画像Ｙを読取部１１で読み取らせると、スキャナー系画像処理部２１、ページメモリ部１３は、前述した所定の画像処理を行い、プリンタ系画像処理部２２の階調補正処理部２２６へ入力する。
【００４４】
階調補正処理部２２６は、階調補正テーブル記憶部２２２に保存されている、キャリブレーションモード時で設定した第１の階調補正テーブル２２２Ａを読み出し、画像Ｙの階調特性を補正する。次に、ハーフトーン処理部２２７はハーフトーンスクリーン記憶部２４０から、画質モードＡに対応するハーフトーンスクリーン２４０Ａを選択して画像Ｙの処理を行い、画像記録部１４で印刷する。
【００４５】
ユーザ等が画質モードをＢに設定した場合、階調補正処理部２２６は、階調補正テーブル記憶部２２２に保存されている、第２の階調補正テーブル２２２Ｂを読み出して画像Ｙの階調特性を補正する。次に、ハーフトーン処理部２２７はハーフトーンスクリーン記憶部２４０から、画質モードＢに対応するハーフトーンスクリーン２４０Ｂを選択し、画像Ｙの処理を行い、画像記録部１４で印刷する。
【００４６】
このように、ユーザ等が各画質モードを設定して画像を入力させると、あらかじめキャリブレーションモード時に作成し、各画像モードに対応した各階調補正テーブルを読み出して階調補正処理部２２６で階調補正を行う。
【００４７】
通常印刷時の動作のフローチャートを図７に示す。ユーザ等が例えば画質モードＡを設定し（ステップＳ２０１）、画像Ｙを読取部１１で読み取らせる（ステップＳ２０３）。階調補正処理部２２６は、階調補正テーブル記憶部２２２から画質モードＡに対応する階調補正テーブル２２２Ａを呼び出す（ステップＳ２０５）。次に階調補正処理部２２６は、入力された画像Ｙについて、ステップＳ２０５で呼び出した階調補正テーブル２２２Ａを用いて階調特性を補正する（ステップＳ２０７）。次に、ハーフトーン処理部２２７は、画質モードＡに対応するハーフトーンスクリーン２４０を選択し、画像Ｙの処理を行って（ステップＳ２０９）、画像記録部１４で印刷する（ステップＳ２１１）。
【００４８】
以上、本発明の実施形態について図面を参照して詳述してきたが、具体的な構成はこの実施形態に限られるものではなく、本発明の要旨を逸脱しない範囲の設計変更等も含まれる。
【００４９】
例えば、上記実施形態では、階調テストパターンを一旦印刷して、読取部１１に再度読み取らせたが、画像記録部１４にセンサ等を設け、画像記録部１４が階調パッチパターンＸを出力する際、センサで階調パッチパターンＸを読み取り、読み取った階調テストパターンＸの濃度データを第１の階調補正テーブル作成部２２１に送信して、第１の階調補正テーブルを作成してもよい。これにより、画像記録部１４で階調パッチパターンを用紙に印刷をして、その階調パッチパターンを読取部１１に読み取らせるといった手間や、用紙の無駄を省くことができる。
【符号の説明】
【００５０】
１…画像処理装置、１０…制御部、１１…読取部、１３…ページメモリ部、１４…画像記録部、１５…ストレージ部、１６…プリンタコントローラ部、１７…ＦＡＸコントローラ部、１８…電子データ作成部、１９…外部Ｉ／Ｆ部、２１…スキャナー系画像処理部、２２…プリンタ系画像処理部、２２０…階調処理部、２２１…第１の階調補正テーブル作成部、２２２…階調補正テーブル記憶部、２２３…第２の階調補正テーブル作成部、２２５…差分データ記憶部、２２６…階調補正処理部、２２７…ハーフトーン処理部、２４０…ハーフトーンスクリーン記憶部。
【図１】
2009232455.tif 000003
【図２】
2009232455.tif 000004
【図３】
2009232455.tif 000005
【図４】
2009232455.tif 000006
【図５】
2009232455.tif 000007
【図６】
2009232455.tif 000008
【図７】
2009232455.tif 000009
【図８】
2009232455.tif 000010
【図９】
2009232455.tif 000011
【図１０】
2009232455.tif 000012
【図１１】
2009232455.tif 000013